(57)【要約】【課題】  必要最小限の蝋燭を備え、かつ、主要部分を食し得るようにしてあるケーキに対応して用いられる装飾用灯具の提供【解決手段】  ケーキまたはケーキの周りに起立状態にして用いられる装飾用灯具であって、食べることができかつ起立状態にして用いることのできる棒状体１０と当該棒状体１０の上端部１０ａに取り去り可能に備えられている蝋燭受け具２０と当該蝋燭受け具２０に起立状態に備えられる蝋燭３０とを備え、かつ、前記蝋燭受け具２０が前記蝋燭３０を起立状態に受け入れる上面開口の容器状支承部２１と前記棒状体１０の上部を受け入れる受入部２２とを備えている。【選択図】図２
2006282793.tif 000002
【特許請求の範囲】
【請求項１】
ケーキ自体またはケーキの周りに起立状態にして用いられる装飾用灯具であって、
この装飾用灯具が、食べることができ、しかも、起立状態にして用いることのできる棒状体と、この棒状体の上端部に取り去り可能に備えられている蝋燭受け具と、この蝋燭受け具に起立状態に備えられる蝋燭とを備えており、
前記蝋燭受け具が前記蝋燭を起立状態に受け入れる上面開口の容器状支承部と前記棒状体の上部を受け入れる受入部とを備えていることを特徴とする装飾用灯具。
【請求項２】
前記受入部が前記容器状支承部の下部から下方に向けて延びるように備えられる複数の支持片によって環状をなすように構成してあることを特徴とする請求項１に記載の装飾用灯具。
【請求項３】
前記蝋燭がほぼ５分以内に燃え尽き得る蝋燭であることを特徴とする請求項１または請求項２に記載の装飾用灯具。
【発明の詳細な説明】
【技術分野】
【０００１】
この発明は、雰囲気を盛り上げる手段としてケーキやケーキの周りに起立状態にして用いられる装飾用灯具の改良に関する。
【背景技術】
【０００２】
誕生日のお祝いや、各種のお祝いに際して、ケーキにキャンドルを灯してお祝いをなすと共に、お祝いを受けた者などがこのキャンドルを吹き消して、当該ケーキを参加者等が分け合って食する習慣がある。
【０００３】
このような行事等にあっては、灯されたキャンドルの蝋がケーキ等の食べ物に垂れ落ちないように注意する必要があると共にキャンドルの吹き消し撤去に際しても当該キャンドルの蝋がケーキ等に垂れ落ちないように注意する必要があった。
【０００４】
また、用いられるキャンドルを幼児等が食べ物と誤認することがあり、キャンドルの扱いには十分な注意が必要であって、幼児童等が手にすることがないように取り扱う必要があった。
【０００５】
また、このように主として雰囲気の盛り上げ等に用いられるキャンドルの多くは、着火されて装飾用灯具として用いられる時間が短く、上部側が僅かに燃えた状態で吹き消されるようにして用いられることが一般的であり、使用されたキャンドルは再使用されることなく廃棄されるのが通例であった。
【発明の開示】
【発明が解決しようとする課題】
【０００６】
この発明が解決しようとする主たる問題点は、ケーキやケーキの周りで着火した後吹き消される使用済キャンドルの処分に伴う無駄をなくし、しかも、当該キャンドルからの蝋の垂れ落ちに伴う不具合を解消すると共に幼児などがキャンドルを誤って食する不具合を回避する点にある。
【課題を解決するための手段】
【０００７】
前記問題点を解決するために、この発明にあっては、
ケーキ自体またはケーキの周りに起立状態にして用いられる装飾用灯具であって、
この装飾用灯具が、食べることができ、しかも、起立状態にして用いることのできる棒状体と、この棒状体の上端部に取り去り可能に備えられている蝋燭受け具と、この蝋燭受け具に起立状態に備えられる蝋燭とを備えており、
前記蝋燭受け具が前記蝋燭を起立状態に受け入れる上面開口の容器状支承部と前記棒状体の上部を受け入れる受入部とを備えていることを特徴とする装飾用灯具としてある。
【０００８】
このように構成される装飾用灯具にあっては、当該装飾用灯具を用いた後に、該灯具における蝋燭受け具を容易に撤去することができると共に当該蝋燭受け具の撤去後の棒状体を食することができる。
【０００９】
また、このように構成される装飾用灯具にあっては、この装飾用灯具を構成する蝋燭を当該装飾用灯具を用いたセレモニー等に必要にして十分な量のものとすることができ、燃焼されずに廃棄処分される蝋燭の発生を効果的に回避することができる。
【００１０】
また、前記構成に係る装飾用灯具にあって、前記受入部が前記容器状支承部の下部から下方に向けて延びるように備えられる複数の支持片によって環状をなすように構成してあることを特徴とする装飾用灯具では、前記特長に併せて、棒状体に対して、蝋燭受け具を容易かつ確実に組み付けることができる。
【００１１】
また、前記構成に係る装飾用灯具にあって、前記蝋燭がほぼ５分以内に燃え尽き得る蝋燭であることを特徴とする装飾用灯具では、着火されて用いられている灯具が吹き消されなかった場合にあっても蝋燭は燃え尽きて火は自然に消える。
【発明の効果】
【００１２】
この発明に係る装飾用灯具は、従来、ケーキに飾って用いられるキャンドルにおいて吹き消し後に生ずる未燃焼蝋燭の大量発生をなくし、また、誤って蝋燭を食する不具合を回避すると共に当該装飾用灯具の一部を食し得るようにすることによって、誕生祝い等の興趣をより高めることができる。
【発明を実施するための最良の形態】
【００１３】
以下、図１ないし図７にもとづいて、この発明を実施するための典型的な最良の形態に係る装飾用灯具Ａについて説明する。
【００１４】
なお、ここで図１〜図４は、最良の形態に係る装飾用灯具Ａの典型的な一適用例を、図５〜図７は当該最良の形態に係る装飾用灯具Ａの他の典型的な適用例を示すものである。
図１は、この最良の形態に係る典型的な装飾用灯具Ａを斜め上方から見て示しており、図２は、この装飾用灯具Ａを分離して斜め上方から見て示している。図３は、この装飾用灯具Ａを典型的なケーキＢに起立状態に備え付けた状態を斜め上方から見て示している。図４は、さらに、当該ケーキＢに起立状態に用いられている装飾用灯具Ａの要部を断面して示している。
図５は、当該装飾用灯具Ａの他の適用例を示すものであって、ケーキＢの周りに備えられる起立用補助台Ｃに当該装飾用灯具Ａを起立状態に用いる適用例を斜め上方から見て示している。図６は、かかる適用例における各装飾用灯具Ａの起立使用の状態を一部を断面することによって示している。さらに、図７は、この装飾用灯具Ａの起立される起立用補助台Ｃの要部を斜め上方から見て示している。
【００１５】
この発明の最良の形態に係る装飾用灯具Ａは、ケーキＢ自体またはケーキＢの周りに起立状態にして用いられる装飾用灯具Ａであり、しかも、この装飾用灯具Ａが、食べることができ、しかも、起立状態にして用いることのできる棒状体１０と、この棒状体１０の上端部１０ａに取り去り可能に備えられている蝋燭受け具２０と、この蝋燭受け具２０に起立状態に備えられる蝋燭３０とを備えている。そして、この蝋燭受け具２０が前記蝋燭３０を起立状態に受け入れる上面開口の容器状支承部２１と前記棒状体１０の上部を受け入れる受入部２２とを備えている構成としてある。
【００１６】
ここで装飾用灯具Ａの用いられるケーキＢは、例えば、バースデーケーキ、還暦や古希などのお祝いに用いられるケーキ、結婚記念日を祝するケーキ、クリスマス用ケーキなど、いかなる目的で用意されたものであってもよい。
そして、当該装飾用灯具Ａの用いられるケーキＢは、前記各目的に対応したものであればいかなる形態のものであってもよく、例えば、デコレーションケーキ等各種のケーキ類を用いることができる。
【００１７】
また、ここで装飾用灯具Ａを構成する棒状体１０は、棒状であって、食べることができ、しかも、起立した状態で用い得るものであれば、いかなる種類の食品であっても、また、いかなる形態の食品であってもよい。
かかる棒状体１０は、各種の素材からなる食品によって構成される。また、この棒状体１０は、一種類の素材によって構成してあっても、複数種の素材によって構成してあってもよい。
かかる棒状体１０は、例えば、各種の菓子類によって構成することができる。より典型的には、温度変化によっても起立状態を確実に維持し得る棒状の菓子類が用いられる。
また、かかる棒状体１０は、ケーキＢを装飾して、その場の雰囲気を高め得るように工夫されたものが好ましい。例えば、当該棒状体１０をアルミ箔等によって適宜装飾したり、適宜のアプリケーションを取り付けたりして構成する。また、プレッツェル等で構成される当該棒状体１０の表面にチョコレートによって模様を付したり、さらに、このチョコレートを利用して他の適宜の装飾材を当該棒状体１０に付着させて構成する。また、プレッツェル等で構成される当該棒状体１０を中空状に構成し、この中空部内に幼児童の好むチョコレート等を充填して構成する。
【００１８】
また、ここで用いられる蝋燭３０は、燭芯３０ａを備えたものであれば、いかなる蝋燭であってもよく、例えば、和蝋、洋蝋や、手作りの蝋燭など、適宜の蝋燭を用いることができる。かかる蝋燭３０は、さらに、意匠性に優れた形状や意匠性に優れた色彩を備えたものを用いることができる。また、かかる蝋燭３０は、必要に応じて特有の色を生ずる燃焼炎のものを用いたり、燃焼によって特有の匂いを生ずるようにしたものなどを用いることができる。
【００１９】
また、ここで用意される蝋燭３０は、着火後、ほぼ５分以内で燃え尽きる量の蝋燭３０としてある。さらに、ここで用いられる蝋燭３０は、典型的には、誕生祝いなどにおいて歌われる曲の第１節を歌いきった際にほぼ燃え尽きる量のものとしてある。かかる点から、ここで用いられる蝋燭３０は、理想的には、その着火後、ほぼ３分以内で燃え尽きる量の蝋燭３０としてあることが好ましい。
【００２０】
かかる蝋燭３０を前記棒状体１０に備えつける蝋燭受け具２０は、当該蝋燭３０を起立状態に受け入れ得る容器状支承部２１と、前記棒状体１０の上端部１０ａを受け入れて、この棒状体１０上に当該蝋燭受け具２０を備え付け得る受入部２２を備えたものであれば、いかなる素材によって構成してあっても、また、いかなる形態に構成してあってもよい。
【００２１】
かかる蝋燭受け具２０は、いかなる素材によって構成されていてもよい。例えば、各種金属製、例えば、ステンレススチール製、真鍮製、アルミニウム製またはアルミニウム合金製、鉄製などの蝋燭受け具２０や、プラスチック製の蝋燭受け具２０などを用いることができる。
【００２２】
かかる蝋燭受け具２０を構成する容器状支承部２１は、当該容器状支承部２１において前記蝋燭３０を支承し得る形状を備えたものであれば、いかなる形態からなるものであってもよく、上面開口の皿状、上面開口の深皿状、上面開口の深容器状など、いかなる形態の容器状をなして得てもよく、容器機能を備えたものであれば、いかなる外観、形状を備えたものであってもよい。
【００２３】
例えば、花の形状をした容器状支承部２１や、平面視で楕円形状や多角形状をした容器状支承部２１や、上部側で開く朝顔状の容器状支承部２１や、上部側で窄まる形状の容器状支承部２１等いかなる形状に構成してあってもよい。
【００２４】
かかる容器状支承部２１と共に蝋燭受け具２０を構成する受入部２２は、典型的には、当該容器状支承部２１と一体をなすように構成してあり、例えば、この容器状支承部２１と当該受入部２２とをダイキャスト成形や、鋳型鋳込み成形や、射出成形等の適宜の手法によって一体的に成形用意することができる。また、例えば、各別に成形用意された容器状支承部２１と受入部２２とを溶接、蝋付け、接着剤、リベット等適宜の手段によって一体的に組み付け用意することができる。
【００２５】
かかる蝋燭受け具２０を構成する受入部２２は、前記棒状体１０の上端部１０ａを受け入れて当該棒状体１０の上端部１０ａに前記蝋燭受け具２０を備え付け得るものであればいかなる形態からなるものであってもよく、例えば、棒状体１０の上端部１０ａを受け入れる受入部２２を倒コップ状、筒状、網筒状、下方に向けて突き出す支持片を環状をなすように備えたものなど適宜の形態を備えたものとして用意される。
【００２６】
このように構成される装飾用灯具Ａにあっては、当該装飾用灯具Ａを用いた後に、該灯具Ａにおける蝋燭受け具２０を容易に撤去することができると共に当該蝋燭受け具２０の撤去後の棒状体１０を幼児童等がケーキを食すると同様にして食することができいる。
【００２７】
また、このように構成される装飾用灯具Ａにあっては、この装飾用灯具Ａを構成する蝋燭３０を当該装飾用灯具Ａを用いたセレモニー等に必要にして十分な量のものとすることができ、燃やされることなく廃棄処分される蝋燭の発生を極力減少させることができる。
【００２８】
また、前記構成に係る装飾用灯具Ａにあって、前記受入部２２が前記容器状支承部２１の下部から下方に向けて延びるように備えられる複数の支持片２２ｂによって環状をなすように構成してあることを特徴とする装飾用灯具Ａでは、前記特長に併せて、棒状体１０に対して、蝋燭受け具２０を容易かつ確実に組み付けることができ各種形態の棒状体１０をなす食品のいずれにも都合よく組み付け用いることができる。
【００２９】
また、前記構成に係る装飾用灯具Ａにあって、前記蝋燭３０を所定量の蝋燭として、その燃焼時間を所定時間以内とすることによって、着火されて用いられている灯具Ａが吹き消されなかった場合にあっても蝋燭は自然に燃え尽きて消火する。
【００３０】
（実施例１）
ついで、典型的な当該装飾用灯具Ａの具体的な実施例について説明する。
この実施例に係る装飾用灯具Ａは、ケーキＢ自体に起立状態にして用いられる装飾用灯具Ａであり、しかも、この装飾用灯具Ａが、食べることができ、しかも、起立状態にして用いることのできる棒状体１０と、この棒状体１０の上端部１０ａに取り去り可能に備えられている蝋燭受け具２０と、この蝋燭受け具２０に起立状態に備えられる蝋燭３０とを備えている。そして、この蝋燭受け具２０が前記蝋燭３０を起立状態に受け入れる上面開口の容器状支承部２１と前記棒状体１０の上端部１０ａを受け入れる受入部２２とを備えている構成としてある。
【００３１】
この装飾用灯具Ａに用いらる蝋燭３０は、一般的に汎用されている蝋燭であって、燭芯３０ａを備えると共に下端面から上方に向けて差込み孔３０ｂを備えた蝋燭３０であり、特に、その直径及び長さ寸法が、当該装飾用灯具ＡをケーキＢ自体に用いた際に、お誕生日をお祝いする歌等を歌い終わった際に都合よく燃え尽きる蝋燭量となるようにしてある。
なお、この蝋燭３０の量は、ほぼ５分以内に燃え尽きるようにしてあり、より典型的には３分以内に燃え尽きるようにしてある。
【００３２】
例えば、用いられる蝋燭３０を、その太径部３０ｄの長さがほぼ７ｍｍ、同太径部３０ｄの直径がほぼ６．３ｍｍ、下端から着火用隆起部３０ｃの上端までの長さがほぼ1１ｍｍあって、この蝋燭３０における太径部３０ｄが容器状支承部２１から僅かに上方に突き出す態様で用い得るように構成する。
【００３３】
ついで、この実施例に係る装飾用灯具Ａを構成する蝋燭受け具２０は、上部側が容器状支承部２１とされ、かつ、下部側が受入部２２とされており、この容器状支承部２１と受入部２２とが一体となるようにスポット溶接によって固着されている。
【００３４】
この上面開口の容器状支承部２１は、この実施例にあっては、ステンレススチール材の絞り加工によって構成してあり、ほぼ円板状をなす底板部２１ｂと、この底板部２１ｂの周縁に連続するように起立されている筒状周側板部２１ａと、前記底板部２１ｂのほぼ中央部にあって、該底板部２１ｂに起立されている突起部として、当該底板部から連続するように起立されている筒状突起部２１ｄとを備えており、しかも、前記筒状周側板部２１ａの上端部が外方に湾曲しながら突き出す開口鍔部２１ｃとしてある。
【００３５】
かかる筒状突起部２１ｄは、前記容器状支承部２１における底板部２１ｂの板材を下面側からプレス加工等によって当該容器状支承部２１の内方に向けた押し込みによって構成することができる。
【００３６】
かかる容器状支承部２１は、この容器状支承部２１における筒状周側板部２１ａ内に前記蝋燭３０が密に嵌め入れ得る内径寸法としてあり、しかも、前記蝋燭３０に備えられている差込み孔３０ｂに突起部としての当該筒状突起部２１ｄが差入れられて、当該容器状支承部２１に前記蝋燭３０ががたなく、かつ直立した状態に支承できる構成としてある。
【００３７】
例えば、当該容器状支承部２１は厚さがほぼ０．５ｍｍの板状材によって構成してあり、その筒状周側板部２１ａの内径寸法がほぼ６．３ｍｍ、開口鍔部２１ｃの外側端間（外径）の寸法がほぼ９ｍｍ、筒状突起部２１ｄにおける外径寸法がほぼ３ｍｍ、その内径寸法がほぼ２ｍｍとしてある。
【００３８】
また、前記容器状支承部２１の下面、すなわち、底板部２１ｂの下面に上板部２２ａを溶接されて当該容器状支承部２１に一体とされる受入部２２は、当該上板部２２ａと、この円板状をなす上板部２２ａにおける周縁部から連続して下方に延びるように備えられている複数の支持片２２ｂとを備えた構成としてあり、この複数の支持片２２ｂが、円板状をなす上板部２２ａにおける周縁に沿って環状をなすように備えられており、この各支持片２２ｂ間に下方から前記棒状体１０を差し入れうる構成としてある。
【００３９】
かかる受入部２２を構成する支持片２２ｂを適度の弾性を備えたものとし、この各支持片２２ｂ間に当該各支持片２２ｂを外向きに開き出させるように棒状体１０を押し入れることによって、当該棒状体１０を各支持片２２ｂによって弾性的に挟持させ、蝋燭受け具２０を当該棒状体１０に対して取り去り可能に組み付ける。
【００４０】
かかる支持片２２ｂを備えた受入部２２は、ステンレススチール板をプレス成形することによって得ることができる。
このステンレススチール板のプレス成形において、円形の上板部２２ａと当該上板部２２ａから連続して備えられる６枚の板状をなす支持片２２ｂを一体のものとして構成し、しかも、当該支持片２２ｂが上板部２２ａから下方に向けて一旦外方に張り出された後、互いに先端側を近づかせる向きに湾曲してあり、この支持片２２ｂの弾性を利用して、これを外向きに開かせるように棒状体１０を当該支持片２２ｂ間に押し入れることによって当該支持片２２ｂによる棒状体１０の弾持をなすようにしてある。
【００４１】
なお、この支持片２２ｂは、当該支持片２２ｂ間に棒状体１０を押し入れ易いように、その先端部を外開き状の屈曲片部２２ｂ’としてあり、この外向きに開き出されている各屈曲片部２２ｂ’の傾斜面に沿って棒状体１０における頭部が該受入部２２内に案内され得るようにしてある。また、この支持片２２ｂによって蝋燭３０の熱を放散し易くするように各支持片２２ｂを所定の間隔を離して設けるようにしてある。
【００４２】
かかる受入部２２は、例えば、厚さが０．３ｍｍのステンレススチール板からなり、上板部２２ａの上面から各支持片２２ｂの先端までの間の寸法がほぼ６ｍｍとなるように構成した。
【００４３】
かかる蝋燭受け具２０の備えつけらる棒状体１０は、この実施例にあっては、丸棒状をなすプレッツェルを用いた。特に、幼児童が好むように丸棒状のプレッツェルをチョコレートによって覆った構成の棒状体１０を用いた。
【００４４】
このようにして構成された棒状体１０の上端部１０ａを蝋燭受け具２０における受入部２２に差入れて当該棒状体１０と蝋燭受け具２０とを組み付け、かつ、当該蝋燭受け具２０における容器状支承部２１の筒状突起部２１ｄを差込み孔３０ｂに受け入れるようにして蝋燭３０を当該容器状支承部２１に嵌め入れて装飾用灯具Ａを構成し、この装飾用灯具Ａを構成する棒状体１０をケーキＢに対して適宜差入れて、当該装飾用灯具Ａを当該ケーキＢに対して起立状態に備えつけ用いる。
【００４５】
かかる構成からなる装飾用灯具Ａの蝋燭３０に火を灯して用いると共に、所要の歌などを歌い終わった後に当該蝋燭３０の火を吹き消し、あるいは、燃え尽きるまで放置した後、この装飾用灯具Ａにおける蝋燭受け具２０をケーキＢから取り除くと共にケーキＢを当該棒状体１０と共に適宜の方法で食する。
【００４６】
このように構成される装飾用灯具Ａにあっては、誕生日のお祝い等の歌を歌い終わるまでの間灯される量の蝋燭３０としてあることから、廃棄処分される燃え残りの蝋燭部分を生ずることが殆ど無い。また、ケーキＢ部分から蝋燭受け具２０を取り去ることによって、幼児童が蝋燭３０を手にする機会を無くすことができる。また、蝋燭３０は図４に示されるように容器状支承部２１から漏れ出すことが無く、ケーキＢ等の食品を汚す不具合が無い。また、蝋燭３０の熱は蝋燭受け具２０における容器状支承部２１を経て受入部２２の各支持片２２ｂに案内されて、当該支持片２２ｂを放熱手段として効果的に放散される。
【００４７】
また、前記の弾性特性を備えた支持片２２ｂによって受入部２２を構成することによって、棒状体１０の各種の上端部形状に対して当該支持片２２ｂを容易に追随変形させ得ることができ、棒状体１０の上端部１０ａが丸棒状で無い場合や、凹凸面である場合など各種形態の棒状体１０に対して当該蝋燭受け具２０を備えつけ用いることができる。
【００４８】
このように構成される装飾用灯具Ａにあっては、灯されていた装飾用灯具Ａにおける蝋燭受け具２０を取り去ることのみで、当該装飾用灯具Ａの主要部分である棒状体１０を、そのままの状態で食することができ、お祝い等の場の雰囲気をさらに高めることができる。
【００４９】
（実施例２）
ついで、当該発明を実施するための典型的な他の最良の形態に係る装飾用灯具Ａについて説明する。
この典型的な実施例２に示される装飾用灯具Ａは、ケーキＢの周りに起立状態にして用いられる装飾用灯具Ａであり、かつ、この装飾用灯具Ａが、食べることができ、しかも、起立状態にして用いることのできる棒状体１０と、この棒状体１０の上端部１０ａに取り去り可能に備えられている蝋燭受け具２０と、この蝋燭受け具２０に起立状態に備えられる蝋燭３０とを備えている。そして、この蝋燭受け具２０が前記蝋燭３０を起立状態に受け入れる上面開口の容器状支承部２１と前記棒状体１０の上端部１０ａを受け入れる受入部２２とを備えている構成としてある。
【００５０】
この実施例２に示される装飾用灯具Ａは、前記実施例１において構成された装飾用灯具ＡをケーキＢ自体でなく、当該ケーキＢの周りに備えた起立用補助台Ｃに装飾用灯具Ａを起立状態に備えて用いるようにした以外の構成を前記実施例１における装飾用灯具Ａと同一にしてある。
【００５１】
したがって、前記実施例１における構成と同一の構成部分については同一の番号を付して、その説明を省略する。
【００５２】
ここで、装飾用灯具Ａを起立状態に支持してケーキＢ周辺の雰囲気を高める手段としてケーキＢの外周に沿うように備えられる起立用補助台Ｃは、この図示例にあっては、台状環状体４０が用いられている。
【００５３】
この台状環状体４０は複数個の台状湾曲体４１によって構成してある。この図示例にあっては、ケーキＢを都合よく取り囲むように当該ケーキＢの外周に沿って連続した状態で備えられる４個の台状湾曲体４１を連結して当該ケーキＢの外周に沿って当該ケーキＢを取り囲む台状環状体４０を設けて起立用補助台Ｃとしてある。
【００５４】
この台状湾曲体４１には、その上面に前記装飾用灯具Ａの棒状体１０を差入れ、かつ、この装飾用灯具Ａを起立状態に維持する孔４１ａが所定間隔ごとに設けてある。
【００５５】
また、この各台状湾曲体４１には、その側端面４１ｂに突起４１ｃと当該突起４１ｃの嵌り合う孔４１ｄが設けてあり、この突起４１ｃを前記孔４１ｄに嵌め合うようにして順次に台状湾曲体４１を連結し得るように構成して、台状環状体４０を構成し、これを装飾用灯具Ａの起立使用に用い得る起立用補助台Ｃとしてある。
【図面の簡単な説明】
【００５６】
【図１】典型的な装飾用灯具の斜視図
【図２】同部品分離斜視図
【図３】同使用状態を示す斜視図
【図４】同使用状態を一部を破断して示す要部正面図
【図５】他の使用状態を示す斜視図
【図６】同使用状態を一部を破断して示す要部正面図
【図７】同台状湾曲体の要部を示す斜視図
【符号の説明】
【００５７】
Ａ  装飾用灯具
Ｂ  ケーキ
１０  棒状体
１０ａ  上端部
２０  蝋燭受け具
２１  容器状支承部
２２  受入部
３０  蝋燭
【図１】
2006282793.tif 000003
【図２】
2006282793.tif 000004
【図３】
2006282793.tif 000005
【図４】
2006282793.tif 000006
【図５】
2006282793.tif 000007
【図６】
2006282793.tif 000008
【図７】
2006282793.tif 000009